(57)【特許請求の範囲】
【請求項１】
結束機本体の後部に回転自在に設けたワイヤリールから結束用ワイヤを結束機本体の前方に送り出して交差した鉄筋の周囲に巻き付けた後、捩り用フックで捩って結束する鉄筋結束機におけるワイヤリールのブレーキ機構において、
上記ワイヤリールから結束用ワイヤを送り出す送り用モータの正回転と逆回転に応じて揺動レバーが一定の範囲を往復揺動可能とし、この揺動レバーの揺動に応じてブレーキ手段がワイヤリールの周縁部から遠ざかる方向と上記周縁部とに係合する方向に移動するように連動させ、
上記送り用モータの正回転により結束用ワイヤを所定の長さだけ送り出した後に逆回転させて、上記ブレーキ手段を上記ワイヤリールの周縁部に係合させてワイヤリールの回転にブレーキをかけ、上記送り用モータの正回転時には上記ブレーキ手段をワイヤリールの周縁部から遠ざかる方向に作動させて上記ブレーキを解除させる
ことを特徴とする鉄筋結束機におけるワイヤリールのブレーキ機構。
【発明の詳細な説明】
【０００１】
【発明の属する技術分野】
本発明は鉄筋結束機において所定の長さの結束用ワイヤを送り出した後にワイヤリールの回転を停止させるブレーキ機構に関する。
【０００２】
【従来技術】
一般に鉄筋結束機は、交差された鉄筋の周囲に所定の長さの結束用ワイヤを巻き回した後にこのワイヤを捩り用フックで捩って結束するものである。ワイヤは結束機本体の後部に装着されたワイヤリールに巻回され、ワイヤ送り時にはワイヤ送り手段によってワイヤが前方に送り出され、このときワイヤリールが回転してワイヤが巻き出される。ワイヤの送り量は正確に制御され、所定の長さのワイヤが送られると、ワイヤの送りは急停止する。
【０００３】
【発明が解決しようとする課題】
しかしながら、上記ワイヤ送り機構によれば、所定の長さの送りがなされるとワイヤの送りは急停止するが、ワイヤリールは慣性によって余分に回り続けるから、図５のようにワイヤリール２５上のワイヤ２６の径は膨らんでしまい、ワイヤ２６が絡みあって円滑な巻き出しができなくなり、次段のワイヤ送りに支障をきたすことがある。
【０００４】
これに対応するものとして、ワイヤリールに板バネ等で常時ブレーキをかけてワイヤリールの惰性回転を防止することも考えられるが、この場合は送りの負荷が増大するので、消費電流が増加し、モータが発熱し、スピードが低下する等の問題が生じる。
【０００５】
本発明は上記問題点を解消し、所定のワイヤ送りが終了するとほぼ同時にワイヤリールの回転にブレーキをかけることができる鉄筋結束機におけるワイヤリールのブレーキ機構を提供することをその課題とする。
【０００６】
【課題を解決するための手段】
前記課題を解決するため、本発明に係る鉄筋結束機におけるワイヤリールのブレーキ機構は、結束機本体の後部に回転自在に設けたワイヤリールから結束用ワイヤを結束機本体の前方に送り出して交差した鉄筋の周囲に巻き付けた後、捩り用フックで捩って結束する鉄筋結束機におけるワイヤリールのブレーキ機構において、上記ワイヤリールから結束用ワイヤを送り出す送り用モータの正回転と逆回転に応じて揺動レバーが一定の範囲を往復揺動可能とし、この揺動レバーの揺動に応じてブレーキ手段がワイヤリールの周縁部から遠ざかる方向と上記周縁部とに係合する方向に移動するように連動させ、上記送り用モータの正回転により結束用ワイヤを所定の長さだけ送り出した後に逆回転させて、上記ブレーキ手段を上記ワイヤリールの周縁部に係合させてワイヤリールの回転にブレーキをかけ、上記送り用モータの正回転時には上記ブレーキ手段をワイヤリールの周縁部から遠ざかる方向に作動させて上記ブレーキを解除させることを特徴とする。
【０００７】
【発明の実施の形態】
図１、図２はそれぞれ鉄筋結束機における結束機構の概要を示す側面図及び平面図で、同図において符号１は結束機本体、２は結束機本体１の後部に回転自在に設けたワイヤリールを示す。結束機本体１にはワイヤ３の通路（図示せず）が形成され、通路にはワイヤ３を前方に送り出す送り手段５が配置され、また結束機本体１の前部にはワイヤ３をループ状に曲がるように案内するガイド６が設けられている。また、結束機本体１には鉄筋７の周囲に巻き付けられたワイヤ３３に係合して捩る捩り用フック８が形成され、この捩り用フック８はモータ９によって駆動されるように構成されている。
【０００８】
上記送り手段５は図２に示されるように、一対の送りギア５ａ、５ｂから構成され、これらの送りギア５ａ、５ｂの周面間にワイヤ３を挟みつけ、送り用モータによって送りギア５ａ、５ｂを駆動することにより、ワイヤ３をワイヤリール２から巻き戻して前方に送り出すように構成されている。
【０００９】
ワイヤリール２はドラム２ａとフランジ２ｂとから構成され、結束機本体１の後部一側に形成された収納部１０に着脱自在に収納配置されている。
【００１０】
上記鉄筋結束機は送り手段５によってワイヤリール２から所定の長さのワイヤ３を送り出して交差された鉄筋７の周囲に巻き回した後、送り手段５からの信号に基づいて捩り用モータ９が作動し、捩り用フック８を駆動してワイヤ３を捩って結束するものである。
【００１１】
次に、上記ワイヤ送り手段５とワイヤリール２との間にはワイヤリール２のブレーキ機構が配置されている。すなわち、図１に示されるようにワイヤリール２のフランジ２ｂの周縁部には一定の間隔に溝状の係合部１１が切欠き形成され、図２のようにこの係合部１１に対向する位置にブレーキ手段１２の中央部が支軸１３によって回動可能に配置されている。ブレーキ手段１２の一端はワイヤリール２の係合部１１に係合可能に配置され、他端は連結リンク１４を介して一方の送りギア５ａと同軸１５上に取り付けられた揺動レバー１６に連結している。図４（ａ）  （ｂ）  に示されるように揺動レバー１５の基部は送りギア５ａの側面に重合配置され、揺動レバー１６と送りギア５ａとの対向面にはそれぞれ複数の（この例では４個の）の凹部１７とバネ１８のバネ受け溝１９が形成され、凹部１７にはスチールボール２０の略半分が係合し、残りの部分はバネ受け溝１９に係合している。このようにスチールボール２０は揺動レバー１６と送りギア５ａの凹部１７とバネ受け溝１９に係合しているため、通常は送りギア５ａが回転するときは揺動レバー１６も同方向に回動する。
【００１２】
揺動レバー１６の両側には揺動レバー１６の回動範囲を規制する回り止め２１が配置されている。揺動レバー１６がこの回り止め２１に係合すると、それ以上は回動することができない。
【００１３】
上記構成のブレーキ機構において、図２のように送りモータが正回転するときは、送りギア５ａ、５ｂが矢印方向に回転し、これによってワイヤリール２上のワイヤ３は巻き戻されて前方に送り出される。送りギア５ａ、５ｂが回転すると、揺動レバー１６も同方向に回転するので、連結リンク１４が同図のように移動してブレーキ手段１２を支軸１３を中心に回転させる。このとき、ブレーキ手段１２の先端部はワイヤリール２から遠ざかる方に移動するので、ブレーキは作動しない。また、送りモータの正回転により揺動レバー１６が送りギア５ａに連動して回動する途中で回り止め２１に係合し、それ以上回動することができないのに対し、送りギア５ａは回転し続けるので、この相対回転に応じて両者に係合していた図４（ａ）  のスチールボール２０は送りギア５ａ側に逃げる。このため、送りギア５ａのみが回転し、揺動レバー１６は停止する。
【００１４】
次に、所定の長さのワイヤ３を送った後、送りモータは逆回転する。これにより、送りギア５ａ、５ｂも矢印のように逆回転するので、スチールボール２０は揺動レバー１６と送りギア５ａに係合する。これにより、揺動レバー１６も逆方向に回動し、連結リンク１４も図３のように移動してブレーキ手段１２を支軸１３を中心に逆方向に回転させる。このとき、ブレーキ手段１２の先端部はワイヤリール２側に移動してワイヤリール２の係合部１１（図１参照）に係合するので、ワイヤリール２に対してブレーキが作動し、ワイヤリール２の回転は急停止する。また、送りモータの逆回転時に揺動レバー１６が回動途中で回り止め２１に係合した場合も、スチールボール２０は送りギア５ａ側に逃げる。このため、送りギア５ａのみは回転し、揺動レバー１６は停止する。
【００１５】
再び、送りモータが正回転すると、上述のようにブレーキ手段１２によるブレーキが解除され、ワイヤ３の送りが行なわれる。
【００１６】
上述のように、所定の長さのワイヤ３の送り終了とほぼ同時に、送り用モータ９が逆回転し、ブレーキ手段１２が作動してワイヤリール２にブレーキがかけられてその回転が急停止するので、ワイヤリール２が回転し過ぎてワイヤ３の径が膨らむことがなく、常にワイヤ３を円滑に送ることができ、消費電流の増加、モータ９の発熱、スピード低下等の不都合を良好に防止することができる。
【００１７】
なお、上述の各例においてブレーキは、ブレーキ手段１２をワイヤリール２の係合部に係合させるものに限定されない。例えば、上述のものと同じように構成されたブレーキ手段の一部をワイヤリールの周縁部に強く押圧させることによってブレーキをかける構成であってもよい。
【図面の簡単な説明】
【図１】鉄筋結束機の概要を示す側面の縦断面図
【図２】上記鉄筋結束機のワイヤリールのブレーキ機構の概要を示す平面図
【図３】上記ブレーキ機構の作動態様を示す要部の平面図
【図４】（ａ）  （ｂ）  は送りギアと揺動レバーの縦断面図及び揺動レバーの平面図
【図５】従来のワイヤ送り終了時のワイヤリールの状態を示す説明図
【符号の説明】
１  結束機本体
２  ワイヤリール
３  結束用ワイヤ
５  送り手段
１２  ブレーキ手段
１６  揺動レバー
【図１】
0003598784.tif 000002
【図２】
0003598784.tif 000003
【図３】
0003598784.tif 000004
【図４】
0003598784.tif 000005
【図５】
0003598784.tif 000006